(57)【特許請求の範囲】
【請求項１】
ペダル操作で複数の機能を発揮させる電子楽器のペダル操作子に対して、
前記ペダル操作を検出する操作検出手段と、
前記ペダル操作が踏み込み量に対して予め設定された閾値を超えたかどうかを判断する閾値超え判断手段と、
前記ペダル操作が前記閾値を超えた場合に所望の機能を発揮させるとともに、前記ペダル操作が前記閾値を超えないでオフ状態の初期値に戻る場合に、前記所望の機能以外の機能を発揮させるペダル機能実行手段と、
を備え、
前記所望の機能は、ソステヌート、ダンパー、ソフトのいずれか一つの機能であり、
前記所望の機能以外の機能は、前記電子楽器の内部パラメータを変更する機能である
ことを特徴とするペダル操作子の制御装置。
【請求項２】
ペダル操作で複数の機能を発揮させる電子楽器のペダル操作子に対して、
前記ペダル操作を検出する操作検出手段と、
前記ペダル操作が踏み込み量に対して予め設定された閾値を超えたかどうかを判断する閾値超え判断手段と、
前記ペダル操作が前記閾値を超えた場合に所望の機能を発揮させるとともに、前記ペダル操作が前記閾値を超えないでオフ状態の初期値に戻る場合に、前記所望の機能以外の機能を発揮させるペダル機能実行手段と、
を備え、
前記所望の機能は、ソステヌート、ダンパー、ソフトのいずれか一つの機能であり、
前記所望の機能以外の機能は、前記電子楽器に接続された外部機器のコントロール機能である
ことを特徴とするペダル操作子の制御装置。
【請求項３】
前記内部パラメータを変更する機能は、音色変更、音量変更、メトロノームのスピード変更、録音開始、再生開始のいずれか一つの機能である請求項１のペダル操作子の制御装置。
【請求項４】
ペダル操作で複数の機能を発揮させるペダル操作子に対して、
前記ペダル操作を検出する操作検出手段と、
前記ペダル操作が踏み込み量に対して予め設定された閾値を超えたかどうかを判断する閾値超え判断手段と、
前記ペダル操作が前記閾値を超え、設定された一定時間内にオフ状態の初期値に戻らない場合にソステヌート機能を発揮させるとともに、前記ペダル操作が前記閾値を超えて前記一定時間内にオフ状態の初期値に戻る場合に、前記ソステヌート機能以外の機能を発揮させるペダル機能実行手段と、
を備えたことを特徴とするペダル操作子の制御装置。
【請求項５】
前記ペダル操作子は電子楽器のペダルであって、
前記ソステヌート機能以外の機能は、前記電子楽器の内部パラメータを変更する機能である請求項４に記載のペダル操作子の制御装置。
【請求項６】
前記内部パラメータを変更する機能は、音色変更、音量変更、メトロノームのスピード変更、録音開始、再生開始のいずれか一つの機能である請求項５のペダル操作子の制御装置。
【請求項７】
前記ペダル操作子は電子楽器のペダルであって、
前記ソステヌート機能以外の機能は、前記電子楽器に接続された外部機器のコントロール機能である請求項４のペダル操作子の制御装置。
【発明の詳細な説明】
【技術分野】
【０００１】
本発明は、ピアノやオルガンなどの音を再生する電子楽器において、楽音に対してペダル操作によりソステヌート機能、ダンパー機能、ソフト機能を発揮させるペダル操作子の制御装置に関する。
【背景技術】
【０００２】
電子楽器は、例えば特許文献１に開示されているように、鍵盤や操作パネルを操作することにより生成される楽音データを電子楽器内部に設けられた音源に送り、音源の楽音データに応じた楽音信号を発生し、スピーカーで音響信号に変換することにより楽音を発生する。
電子楽器が発音する音量については、操作子となる回転式又はダイヤルスイッチにより、回転角や移動量をポテンションメーターによりアナログ／ディジタル変換して電圧値（ＡＤ値）とし、このＡＤ値の変化により音量制御が行われる。
【０００３】
また、電子楽器には、楽音に対して所定の音響効果を発揮させるため、アコースティックピアノを模擬したペダルが操作子として設けられている。これらのペダル操作子には、楽音が消音するまでの時間を制御するダンパーペダル、音量を下げて音色変化を起こさせることにより音を柔らかくするソフトペダル、ペダルを押下した鍵に対応する楽音に対してのみダンパーペダルと同じ効果を与えるソステヌートペダルが存在する。
これらのペダル操作子では、ペダルの踏み込み量を電圧として検出し、Ａ／Ｄ変換器を用いてリニアに検知しているものもあるが、実際には踏み込み量を閾値と比較することで所望の音響効果がオン・オフ制御されるペダル操作子として使用されている。
【０００４】
また、特許文献２には、外付けのエクスプレッションペダルを有する電子楽器において、エクスプレッションペダルの踏み込み量に応じて、読み出される楽音情報を変化させる機構が開示されている。
【先行技術文献】
【特許文献】
【０００５】
【特許文献１】特許第３２９６５１８号公報
【特許文献２】特開平７−２２５５８０号公報
【発明の概要】
【発明が解決しようとする課題】
【０００６】
特許文献１に記載の操作子によれば、各操作子には通常単一の機能が割り当てられており、特定の機能を操作するために用いられる。したがって、一つの操作子で二つの機能をコントロールすることはできなかった。
また、複数の機能を割り当てた操作子も存在するものの、完全に同期して二つの機能を同時にコントロールすることに留まり、一つの操作子で二つの機能を独立してコントロールすることができる操作子は存在しなかった。
【０００７】
特許文献２に記載のエクスプレッションペダルによれば、踏み込み量に応じて所定の機能を割り当てるものであるが、ペダルの「遊び」部分に何らかの制御機能を割り当てるものではない。
【０００８】
本発明は上記事情に鑑みて提案されたもので、所望の音響効果機能を発揮させる電子楽器のペダル操作子において、「遊び」部分を有効に利用することで、単一のペダル操作子で互いに関連性のない別の機能を個別に操作することを可能としたペダル操作子の制御装置を提供することを目的とする。
【課題を解決するための手段】
【０００９】
上記目的を達成するため請求項１のペダル操作子の制御装置は、ペダル操作で複数の機能を発揮させる電子楽器のペダル操作子に対して、前記ペダル操作を検出する操作検出手段と、前記ペダル操作が踏み込み量に対して予め設定された閾値を超えたかどうかを判断する閾値超え判断手段と、前記ペダル操作が前記閾値を超えた場合に所望の機能を発揮させるとともに、前記ペダル操作が前記閾値を超えないでオフ状態の初期値に戻る場合に、前記所望の機能以外の機能を発揮させるペダル機能実行手段と、を備え、前記所望の機能は、ソステヌート、ダンパー、ソフトのいずれか一つの機能であり、前記所望の機能以外の機能は、前記電子楽器の内部パラメータを変更する機能であることを特徴とする。
【００１０】
請求項２のペダル操作子の制御装置は、請求項１における前記所望の機能以外の機能について、「電子楽器の内部パラメータを変更する機能」に代えて「電子楽器に接続された外部機器のコントロール機能」としたことを特徴としている。
【００１１】
請求項３のペダル操作子の制御装置は、請求項１において、前記内部パラメータを変更する機能は、音色変更、音量変更、メトロノームのスピード変更、録音開始、再生開始のいずれか一つの機能であることを特徴としている。
【００１３】
請求項４のペダル操作子の制御装置は、ペダル操作で複数の機能を発揮させるペダル操作子に対して、前記ペダル操作を検出する操作検出手段と、前記ペダル操作が踏み込み量に対して予め設定された閾値を超えたかどうかを判断する閾値超え判断手段と、前記ペダル操作が前記閾値を超え、設定された一定時間内にオフ状態の初期値に戻らない場合にソステヌート機能を発揮させるとともに、前記ペダル操作が前記閾値を超えて前記一定時間内にオフ状態の初期値に戻る場合に、前記ソステヌート機能以外の機能を発揮させるペダル機能実行手段と、を備えたことを特徴とする。
【００１４】
請求項５のペダル操作子の制御装置は、請求項５において、前記ソステヌート機能以外の機能は、前記電子楽器の内部パラメータを変更する機能であることを特徴としている。
【００１５】
請求項６のペダル操作子の制御装置は、請求項６において、前記内部パラメータを変更する機能は、音色変更、音量変更、メトロノームのスピード変更、録音開始、再生開始のいずれか一つの機能であることを特徴としている。
【００１６】
請求項７のペダル操作子の制御装置は、請求項５において、前記ペダル操作子は電子楽器のペダルであって、前記ソステヌート機能以外の機能は、前記電子楽器に接続された外部機器のコントロール機能であることを特徴としている。
【発明の効果】
【００１７】
本発明のペダル操作子の制御装置によれば、所望の音響効果機能を実行する場合には使用しない動作をもって、別途割り当てた別の機能を個別に操作可能とすることにより、単一のペダル操作子で互いに関連性のない別の機能を個別に操作することができる。
【００１８】
すなわち、請求項１のペダル操作子の制御装置によれば、操作検出手段でペダル操作を検出し、閾値超え判断手段で前記ペダル操作が閾値を超えたかどうかを判断し、ペダル機能実行手段により、前記ペダル操作が前記閾値を超えた場合に所望の機能を発揮させるとともに、前記ペダル操作が前記閾値を超えない場合に前記所望の機能以外の機能を発揮させることで、所望の機能の発揮を妨げることなく、個別の操作で所望の機能以外の別の機能を発揮させることができる。
それにより、ソステヌート、ダンパー、ソフトのいずれか一つの機能（所望の機能）の他に、電子楽器の内部パラメータを変更する機能を発揮させることができる。
【００１９】
請求項２のペダル操作子の制御装置によれば、ソステヌート、ダンパー、ソフトのいずれか一つの機能の他に、電子楽器に接続された外部機器のコントロール機能を発揮させることができる。
【００２０】
請求項３のペダル操作子の制御装置によれば、内部パラメータを変更する機能として、音色変更、音量変更、メトロノームのスピード変更、録音開始、再生開始のいずれか一つの機能を発揮させることができる。
【００２１】
請求項４のペダル操作子の制御装置によれば、ソステヌート、ダンパー、ソフトのいずれか一つの機能の他に、電子楽器に接続された外部機器のコントロール機能を発揮させることができる。
【００２２】
請求項４のペダル操作子の制御装置によれば、操作検出手段でペダル操作を検出し、閾値超え判断手段で前記ペダル操作が閾値を超えたかどうかを判断し、ペダル機能実行手段により、前記ペダル操作が前記閾値を超えた場合で、設定された一定時間内にオフ状態の初期値に戻らない場合にソステヌート機能を発揮させるとともに、前記ペダル操作が前記閾値を超えて前記一定時間内にオフ状態の初期値に戻る場合に前記ソステヌート機能以外の機能を発揮させることで、ソステヌート機能の発揮を妨げることなく、個別の操作でソステヌート機能以外の別の機能を発揮させることができる。
【００２３】
請求項５のペダル操作子の制御装置によれば、ソステヌート機能の他に、電子楽器の内部パラメータを変更する機能を発揮させることができる。
【００２４】
請求項６のペダル操作子の制御装置によれば、内部パラメータを変更する機能として、音色変更、音量変更、メトロノームのスピード変更、録音開始、再生開始のいずれか一つの機能を発揮させることができる。
【００２５】
請求項７のペダル操作子の制御装置によれば、ソステヌート機能以外の機能として、電子楽器に接続された外部機器のコントロール機能を発揮させることができる。
【図面の簡単な説明】
【００２６】
【図１】ペダル操作子の制御装置を備えた電子楽器のハードウエア構成を示すブロック図である。
【図２】ペダル操作子の制御装置の機能を説明するためのブロック図である。
【図３】ペダル操作子の制御装置における処理手順（操作方法）を示すフローチャート図である。
【図４】ペダル操作子の制御装置における処理手順（操作方法）の他の例を示すフローチャート図である。
【発明を実施するための形態】
【００２７】
以下、本発明の実施形態に係るペダル操作子の制御装置を備えた電子楽器について、図面を参照しながら説明する。
図１は、ディジタルピアノ（電子楽器）の主要なハードウエア構成を示すブロック図であり、バス３０に対して、ＣＰＵ１０、ＲＯＭ１１、ＲＡＭ１２、キースキャン回路１６、音源１８、ディジタル信号処理回路１９を接続する構成をコンピュータ上に構築している。
ＣＰＵ１０には、回転操作やスライド操作等で発音の音量を調節する音量スイッチ１３、音色選択や音設定（残響効果等の設定）を行う操作パネル１４、外部装置との間のＭＩＤＩデータ受け渡し制御を行うためのＭＩＤＩインタフェース回路１５、楽音に対して各種の音響効果を発揮させるペダル操作子１が接続されている。
【００２８】
音量スイッチ１３は、操作子となる回転式又はダイヤルスイッチにより、回転角や移動量である操作量（物理的な入力）をポテンションメーターによりアナログ／ディジタル変換して電圧値（ＡＤ値）とし、このＡＤ値の変化により音量制御が行われる。
【００２９】
ペダル操作子１は、楽音が消音するまでの時間を制御するダンパーペダル１ｃ、音量を下げて音色変化を起こさせることにより音を柔らかくするソフトペダル１ｂ、ペダルを押下した鍵に対応する楽音に対してのみダンパーペダルと同じ効果を与えるソステヌートペダル１ａから構成され、それぞれペダルに対する踏み込み量で物理的な入力が行われる。すなわち、ペダルの踏み込み量（操作量）をポテンションメーターによりアナログ／ディジタル変換して電圧値（ＡＤ値）として検出し、このＡＤ値が予め設定された所定値（閾値）を超えた場合に、楽音に対する所望の音響効果を発揮させて残響効果制御が行われる。
【００３０】
本実施形態のペダル操作子の制御装置によれば、ペダル操作子の踏み込み量を閾値と比較して音響効果がオン・オフ制御されるとともに、閾値に達しない不感帯となる「遊び」部分を有効に利用して所望の音響効果とは別の機能を発揮させることを特徴部分としている。不感帯域でのペダル操作子の操作によって別の機能を発揮させる詳細な処理手順については後述する。
【００３１】
鍵盤１７は、演奏者が楽音の音高を指示する複数の鍵と、この鍵に連動して開閉するキースイッチにより構成されている。鍵盤１７は、キースイッチの状態をスキャンしてキーデータとして出力するキースキャン回路１６に接続されている。
【００３２】
ＣＰＵ１０は、ＲＯＭ１１に格納されている制御プログラムに従って、ディジタルピアノ（電子楽器）の全体を制御するものである。制御プログラムには、ペダル操作子１からの入力に基づいて機能を制御するペダル操作子制御プログラムが含まれることで、コンピュータ上にペダル操作子の制御装置を構築している。
また、ＣＰＵ１０は、鍵盤１７の押鍵に対し発音チャネルを割り当てるアサイナ処理、音源１８に対するアクセス処理等を行う。
【００３３】
ＲＯＭ１１は、ＣＰＵ１０により実行又は参照される各種プログラムや各種データ等を格納する。ＲＯＭ１１に記憶されているプログラムやデータは、システムバス３０を介してＣＰＵ１０により参照される。すなわち、ＣＰＵ１０は、システムバス３０を介してＲＯＭ１１から制御プログラム（命令）を読み出して解釈・実行すると共に、所定の固定データを読み出して演算処理に使用するよう構成されている。
【００３４】
ＲＡＭ１２は、ＣＰＵ１０がプログラムを実行する際に必要な各種データを一時的に記憶するワーキングメモリとして使用される。例えば、ペダル操作子１や音量スイッチ１３の各操作子の操作量（物理的な入力）をＡ／Ｄ変換して取得したＡＤ値、操作パネル１４による操作処理データ、鍵盤１７から取り込まれたキーデータ等がＲＡＭ１２に一時的に記憶される。ＲＡＭ１２に記憶されたデータは、システムバス３０を介してＣＰＵ１０により参照される。
【００３５】
キースキャン回路１６は、鍵盤１７のキースイッチの状態をスキャンし、鍵のオン／オフ状態を示すキーデータとして出力する。キーデータは、システムバス３０を介してＣＰＵ１０に送られ、ＲＡＭ１２に一時的に記憶される。
【００３６】
音源１８は、ＣＰＵ１０から送られてきた楽音データ（音色番号に対応して作成される波形アドレス、キーナンバに対応して作成される周波数データ等）に従って駆動され、時分割でディジタル楽音信号を発生する。この音源１８で発生されたディジタル楽音信号は、ディジタル信号処理回路１９に出力される。
【００３７】
波形メモリ４０は、例えばＲＯＭで構成され、パルスコード変調（ＰＣＭ）された波形データが記憶されている。波形メモリ４０には、複数の音色を実現するため、各音色に対応した複数種類の波形データ（音色番号で特定される）が記憶されている。波形メモリ４０に記憶されている波形データは、音源１８により読み出される。
【００３８】
ディジタル信号処理回路１９は、音源１８から入力されるディジタル楽音信号と、ＣＰＵ１０から入力される係数との間で所定の演算を行って出力するものである。例えば、ペダル操作子１（例えばダンパーペダル１ｃ）の踏み込み量が閾値を超えた場合に、所望の音響効果を与える係数とディジタル楽音信号とを演算し、音響効果（例えばダンパー効果）が付加されたディジタル楽音信号を生成する。ディジタル信号処理回路１９で生成されたディジタル楽音信号はＤ／Ａ変換器２０に供給される。
【００３９】
Ｄ／Ａ変換器２０は、音源１８から供給されたディジタル楽音信号をアナログ楽音信号に変換するものである。Ｄ／Ａ変換器２０が出力するアナログ楽音信号は、増幅器２１に送出される。
【００４０】
増幅器２１は、入力されたアナログ楽音信号を所定の増幅率で増幅して出力する。増幅器２１で所定の増幅が行われたアナログ楽音信号は、スピーカー２２に供給される。
【００４１】
スピーカー２２は、電気信号としてのアナログ楽音信号を音響信号に変換するものである。すなわち、鍵盤１７の各鍵の押下に対応した楽音に、音量制御を行う操作子による物理的入力（回転量、移動量等）で調整する音量に対して、ペダル操作子１の物理的入力（踏み込み量）でオン・オフ制御される音響効果（例えばダンパー効果）が付加されて発音されることになる。
【００４２】
図２は、ペダル操作子制御プログラムにより電子楽器内のＣＰＵ１０に構築されたペダル操作子の制御装置の機能を示すブロック図である。図２では、ソステヌートペダル１ａのペダル操作に対して、ソステヌート機能とそれ以外の機能を個別に発揮させる制御装置について説明する。
ペダル操作子の制御装置は、電子楽器の演奏者が足で踏むことで操作するソステヌートペダル（ペダル操作子）１ａと、ソステヌートペダル１ａの踏み込み量（操作量）を検出する操作検出手段２と、ソステヌートペダル１ａの踏み込み量（物理的な入力）に対してアナログ／ディジタル（ＡＤ）変換を行ってＡＤ値を得るＡ／Ｄ変換器３と、前記ＡＤ値が予め設定された閾値を超えているかどうかを判断する閾値超え判断手段４と、ペダルの操作量や操作時間に基づく操作経過から対応する機能を決定し、該機能を実行するペダル機能実行手段５と、を備えて構成されている。
【００４３】
操作検出手段２は、ソステヌートペダル（ペダル操作子）１ａによる踏み込み量（操作量）を電圧値として検出する。検出された電圧値はＡ／Ｄ変換器３へ出力され、アナログ／ディジタル（ＡＤ）変換を行ってＡＤ値を取得する。
閾値超え判断手段４は、ＡＤ値に変換された踏み込み量が予め設定された閾値を超えているかどうかを判断する。そして、この閾値を境に楽音に対するソステヌート機能の付与の有無が決められる。すなわち、踏み込み量が閾値を超えない場合には、ソステヌート機能がオン状態となることがない不感帯域が設定されている。
【００４４】
ペダル機能実行手段５は、ペダル操作が前記閾値を超えた場合に、楽音に対してソステヌート機能を発揮させるとともに、ペダル操作が前記閾値を超えない場合にソステヌート機能以外の機能を発揮させる。
ソステヌート機能以外の機能とは、電子楽器の内部パラメータの変更や、電子楽器に接続された外部機器についての各種のコントロール機能が考えられる。
【００４５】
電子楽器の内部パラメータには、音色変更、録音開始、再生開始、音量変更、メトロノームのスピード変更等が存在する。音色変更とは、電子楽器が発音する音色（アコースティックピアノ音、オルガン音等）を変更するものである。録音開始とは、楽音の録音を開始することであり、再生開始とは、予め電子楽器に記憶されている伴奏等の再生を開始することである。音量変更とは、電子楽器が発音する音量を変更するものである。メトロノームのスピード変更とは、電子楽器にメトロノームが内蔵されている場合に、そのスピードの変更を行うことである。
また、電子楽器自体に譜面の表示が可能な液晶表示部が設けられている場合は、内部パラメータの変更により譜面の送りや戻し機能を発揮するようにしてもよい。
【００４６】
外部機器に関するコントロール機能には、例えば、電子楽器に接続されたタブレット２３の表示部に譜面を表示するような場合の譜面送りや戻し機能、外部接続された装置における音楽ファイルの再生コントロール機能、録画・録音の開始・停止等の機能が考えられる。
【００４７】
次に、ペダル操作子の制御装置におけるソステヌートペダルの具体的な操作方法について、図３のフローチャート、図１及び図２のブロック図を参照しながら説明する。
先ず、電子楽器が電源投入により起動されると、ＣＰＵ１０、ＲＡＭ１２、音源１８等の初期化処理が行われる。初期化処理では、ＣＰＵ１０内部のレジスタやフラグのクリア処理、ＲＡＭ１２内に定義された各種バッファ、レジスタ及びフラグ等に対する初期値設定処理、音源１８に初期値を設定して不要な音が発音されるのを防止する処理等が行われる。
【００４８】
次に、メインルーチンの処理として、操作子（音量スイッチ１３及びペダル操作子１）の操作量（物理的な入力）の検出が行われ、Ａ／Ｄ変換器３でＡＤ値を取得する。
ペダル操作子１におけるソステヌートペダル１ａに着目して説明すると、ソステヌートペダル１ａを踏み込むと、ＡＤ値が初期値（ソステヌートペダルオフ状態）から踏み込み量に応じて減少する（ステップ５１）。
ソステヌートペダルのＡＤ値（踏み込み量）と予め設定された閾値とを比較し（ステップ５２）、ＡＤ値が減少して閾値を超えた（この例の場合、ＡＤ値が踏み込み量に応じて減少するので、ＡＤ値が閾値未満となった）場合に、通常操作として、楽音に対してソステヌート機能を実行する（ステップ５３）。
【００４９】
ステップ５２において閾値を超えない（閾値未満とならない）場合は、ソステヌートペダル１ａの踏み込み量が初期値（ソステヌートペダルオフ状態）に戻ったかどうかを判断する（ステップ５４）。
ソステヌートペダル１ａの踏み込み量が初期値に戻った（不感帯域における操作である）場合は、ソステヌート機能以外の予め割り当てられた機能を実行する（ステップ５５）。ソステヌート機能以外の機能とは、前述したように、電子楽器の内部パラメータの変更や、電子楽器に接続された外部機器についての各種のコントロール機能であり、例えば、不感帯域での踏み込み操作で音色変更が行われる。具体的には、予めアコースティックピアノ音とオルガン音等、複数の音色から選択可能な２種類の音色を設定しておき、不感帯域での踏み込み操作毎に順次切り替えるようにする。
ペダルの踏み込み量が初期値に戻っていない場合は、設定された閾値との比較が繰り返して行われる（ステップ５２）。
【００５０】
このようなペダル操作子の操作方法によれば、閾値を超えた踏み込み量が生じた場合にソステヌート機能がオン状態となるソステヌートペダルの不感帯域（「遊び」部分）に対して、ソステヌート機能とは別の機能を操作可能に割り当てることができる。その結果、鍵盤による通常演奏を妨げることなく、またＭＩＤＩ情報として出力・記録することなく、ペダル操作子の操作で割り当てた機能を実行することができる。
【００５１】
また、ソステヌート機能以外の機能を実行させるに際して、不感帯における一定時間内の踏み込み回数を検出する検出手段を備えることで、例えば外部接続されたタブレットの表示部に表示される譜面の送り・戻しがソステヌート機能以外の機能である場合に、一度踏みでページ送り、二度踏みでページ戻しを行うように制御することも可能となる。
【００５２】
上述した例では、ペダル操作子の制御装置のペダル操作子としてソステヌートペダル１ａを例に説明したが、不感帯域を有して音響効果機能をオン・オフするソフトペダル１ｂやダンパーペダル１ｃに対して、同様の操作方法を適用してもよい。
ソフトペダル１ｂの場合、音量を下げて音色変化を起こさせることにより音を柔らかくするソフト機能をソフトペダル１ｂの通常操作により発揮させ、ソフト機能以外の機能を不感帯域におけるペダル操作で発揮させる。
ダンパーペダル１ｃの場合、楽音が消音するまでの時間を制御するダンパー機能をダンパーペダル１ｃの通常操作により発揮させ、ダンパー機能以外の機能を不感帯域におけるペダル操作で発揮させる。
【００５３】
また、ソフトペダル１ｂとダンパーペダル１ｃでソフト機能及びダンパー機能以外の機能を発揮させる場合に、両者の不感帯域におけるペダル操作で音色変更を行うように設定し、複数種類の音色を選択する場合に、ソフトペダル１ｂ側の踏み込み操作でインクリメント機能を、ダンパーペダル１ｃ側の踏み込み操作でデクリメント機能を発揮させるようにしてもよい。
【００５４】
続いて、ペダル操作子の制御装置におけるソステヌートペダル１ａの別の操作方法について、図４のフローチャートを参照しながら説明する。
ソステヌートペダルの場合、ペダルを一瞬だけ踏んでオン状態とし、直ぐに離してオフ状態とするような動作は、ピアノを演奏する上で有り得ない操作となる。図４は、この特性を利用したソステヌートペダルの処理手順（操作方法）であり、電源投入により図３の場合の操作方法と同じ初期化処理が行われる。
【００５５】
メインルーチンの処理として、ソステヌートペダル１ａを踏み込むと、ＡＤ値が初期値（ソステヌートペダルオフ状態）から踏み込み量に応じて減少する（ステップ６１）。
ソステヌートペダルのＡＤ値（踏む込み量）が減少して予め設定された閾値を超えた（この例の場合、ＡＤ値が踏み込み量に応じて減少するので、ＡＤ値が閾値未満となった）場合に（ステップ６２）、設定された一定時間内にＡＤ値がオフ状態の初期値に戻るかどうかを判断する（ステップ６３）。
【００５６】
ペダル操作によるＡＤ値が一定時間内にオフ状態の初期値に戻らない場合は、演奏者がソステヌート機能の発揮を望んでいると判断し、ソステヌート機能を実行させる（ステップ６４）。すなわち、演奏者がペダル操作を継続することで、演奏者が望む期間内において楽音に対してソステヌート機能が発揮され、その後ソステヌートペダルが開放されると（ステップ６５）、ソステヌートペダルはステップ６１のオフ状態の初期値に戻る。
【００５７】
ステップ６３においてペダル操作が前記一定時間内にオフ状態の初期値に戻る場合には、演奏者がソステヌート機能以外の機能の発揮を望んでいる判断し、ソステヌート機能以外の機能を発揮させる（ステップ６６）。
【００５８】
このようなペダル操作子の操作方法によれば、閾値を超えた踏み込み量が生じた場合で、一定時間内に踏み込みが初期値（オフ状態）に戻る場合に、ソステヌート機能とは別の機能を操作可能に割り当てることができるので、鍵盤による通常演奏を妨げることなく、またＭＩＤＩ情報として出力・記録することなく、割り当てた機能を実行することができる。
【００５９】
上述したペダル操作子の各制御装置によれば、ペダル操作子の踏み込み量を検出することでペダルの踏み込み具合を取得する機能を備えた電子楽器において、踏み込み量や踏み込み継続時間を検出し、通常操作による音響効果を付与する機能とは別に、普段使用しない不感帯域での動作をもって別途割り当てられた機能を発揮させることで、単一のペダル操作子で互いに関連性のない別の機能を個別に操作することを可能にすることができる。
【符号の説明】
【００６０】
１…ペダル操作子、  １ａ…ソステヌートペダル、  １ｂ…ダンパーペダル、  １ｃ…ソフトペダル、  ２…操作検出手段、  ３…Ａ／Ｄ変換器、  ４…閾値超え判断手段、  ５…ペダル機能実行手段、  １０…ＣＰＵ、  １１…ＲＯＭ、  １２…ＲＡＭ、  １３…音量スイッチ、  １４…操作パネル、  １７…鍵盤、  １８…音源、  １９…ディジタル信号処理回路、  ２３…タブレット。
【図１】
0006700891.tif 000002
【図２】
0006700891.tif 000003
【図３】
0006700891.tif 000004
【図４】
0006700891.tif 000005